(57)【要約】      （修正有）【課題】経方向で捲れず、解れず、回復性に優れた経編伸縮性織布に関し、織布は高い回復性を有し、縦方向、横方向又は斜め方向で捲れにくく、解れず、任意に裁断し、及びかがり縫いを必要としない経編伸縮性織布を提供する。【解決手段】経方向で捲れず、解れず、回復性に優れた経編伸縮性織布であって、織布本体を含んでおり、織布本体は、経織機で用いる二本又は二本のガイドバーがそれぞれ、弾性なしの糸、弾性ありの糸、及び、コア付き弾性ありの糸のいずれか１つであり、このうちの二種類以上の糸を含み、さらにこのうち一種類は弾性糸を含む。【選択図】図２
0003229526.tif 000002
【実用新案登録請求の範囲】
【請求項１】
経方向で捲れず、解れず、回復性に優れた経編伸縮性織布であって、織布本体を含んでおり、前記織布本体は、経織機で用いる二本又は二本のガイドバーがそれぞれ、−弾性なしの糸１）、−弾性ありの糸２）、及び−弾性ありの糸３）のいずれか１つであり、このうちの二種類以上の糸を含み、さらにこのうち一種類は弾性糸を含む、経編伸縮性織布。
【請求項２】
二本又は二本以上のガイドバーを用いて織布するが、このうち異なるガイドバーのニードル裏側の横移動ピッチの組み合わせが少なくとも六中以上である、請求項１に記載の経編伸縮性織布。
【請求項３】
糸１）、糸２）及び糸３）は必要に応じていずれかのガイドバーに挿通している、請求項２に記載の経編伸縮性織布。
【請求項４】
各ガイドバーのニードル表側の移動ピッチが一針又は二針分を選択可能である、請求項１又は２に記載の経編伸縮性織布。
【請求項５】
各ガイドバーの糸掛けの各横列のループが開き目ループ及び閉じ目ループを選択可能である、請求項２又は３に記載の経編伸縮性織布。
【請求項６】
前記織布が二種類又は二種類以上の糸を用いており、このうち一種類の糸は必ず弾性糸である、糸２）及び糸３）である、請求項１に記載の経編伸縮性織布。
【請求項７】
各ガイドバーの糸通しは異なるハーフセット方式又はフルセットを採用することができる、請求項４に記載の経編伸縮性織布。
【請求項８】
該織布は高い回復性を有し、縦方向、横方向又は斜め方向で捲れにくく、解れず、任意に裁断し、及びかがり縫いを必要としない全ての機能的特徴を備えている、請求項１、２、又は３に記載の経編伸縮性織布。
【請求項９】
採用する経編機のニードルの密度を２４〜５０本／インチの間に調節し、
前記糸２）の糸密度が７〜１８０デニールの間である、
前記糸２）の糸密度が７〜２１０デニールの間である、
前記糸３）の糸密度が１０〜２１０デニールの間である、請求項１、２、又は３に記載の経編伸縮性織布。
【考案の詳細な説明】
【技術分野】
【０００１】
本考案は経方向で捲れず、解れず、回復性に優れた経編伸縮性織布に関し、織布は高い回復性を有し、縦方向、横方向又は斜め方向で捲れにくく、解れず、任意に裁断し、及びかがり縫いを必要としない全ての機能的特長を備えている。
【背景技術】
【０００２】
現在、経編織布は、下着、ボディニッパー、スポーツウェア等として広く用いられている。現代人は、ファッショナブルで個性的、美しいボディとなるような着こなしに益々注目している。そこで記憶機能（伸縮回復性に優れた）を備えた衣服は益々大衆の好評を得ており、通常は、スパンデックスの細さで、ボディニッパーの伸縮回復性を改善しているが、欠点としては捲れ、スパンデックスが露出するという問題があるものであって、一方、本考案では二枚筬又は多数筬を採用して、織布に優れた回復性を持たせると同時に捲れ及びスパンデックスが露出するという問題を改善し、しかも該織布は更に捲れず、解れない効果を有し、下着、ボディニッパー、スポーツウェアの分野での大きな発展の余地をもたらしている。
【考案の概要】
【０００３】
当業者の理解を助けるために、以下にて図面を合わせて、本考案を更に説明する。
【考案を実施するための形態】
【０００４】
図１に示すように、本考案では捲れず、解れず、回復性に優れた経編伸縮性織布を開示しており、前記織布本体はシングルニードルベッド経編機で編み込まれてなるものであり、シングルニードルベッド経編機によりＢＧ１でダブル経平編み構造を採用して、織布の露出する表面に光沢効果を持たせ、ＧＢ２で同方向の閉じ目二重編み構造のスパンデックスを採用して、織布に隠れる中間に織布に重要な伸縮性を提供している。
【０００５】
採用する経編機のニードルの密度を２４〜５０本／インチの間で調節して具体的な編み込み時に、以下の方式を採用する：
１．経編で用いる糸の整経：
１）化繊フィラメントの整経：
整経機の型式：Ｋａｒｌ  Ｍａｙｅｒ  ＤＳ  ２１／３０  ＮＣ−２，糸はネガティブフィード方式。
整経温度：２３℃  整経湿度：６５％
作業場は上記温度・湿度の条件にて、プロセスパラメータを設定する。
２）スパンデックスの整経：
整経機の型式：Ｋａｒｌ  Ｍａｙｅｒ  ＤＳＥ−Ｈ２１／３０  ＮＣ−２，糸はネガティブフィード方式。
整経温度：２４℃  整経湿度：７８％
作業場は上記温度・湿度の条件にて、プロセスパラメータを設定する。
【０００６】
２．編み込み作業
整経機の型式：Ｋａｒｌ・Ｍａｙｅｒ  ＨＫＳ２−３，ＨＫＳ４−１又はその他シングルニードルベッド整経機。
型式範囲：Ｅ２８〜Ｅ５０
糸通し方式はフルセットである。
該織布は二種類の異なるタイプの糸を使用する；ＦＤＹ化繊フィラメント及びスパンデックス。
例えば、図１中には該織布の構造概略図を示しているが、ＧＢ１の化繊フィラメントはダブル又はトリプル経平編み構造を採用して、織布の露出する表面に光沢効果を持たせ、ＧＢ２で同方向の閉じ目二重編み構造のスパンデックスを採用して、織布に隠れる中間に織布に重要な伸縮性を提供している。
【０００７】
３．染色整理
ドライウォッシュ（又は水洗い）→準備→オーバーフロー染色→脱水→仕上げ
説明すべきは、上記は本考案の技術手法に対する制限ではなく、本考案の考案思想から外れないという前提にて、容易な如何なる置換はいずれも本考案の保護範囲内にあるということである。
【０００８】
実施例：
製品番号：１２８６１３
色：ホワイト
使用機器型式：ＨＫＳ４−１  ３２Ｇ，１３０インチ
糸掛け番号：ＧＢ１：０−１／２−１／／
ＧＢ２：０−２／３−１／／
使用原料：ＧＢ１：ＰＡ６  ４０Ｄ／２４  Ｆ  ＦＤ  ＦＤＹ  経糸送り量−１０３０ｍｍ
ＧＢ２：ＰＵ  ４０Ｄ（整経延伸率１６０％）経糸送り量−１２１００ｍｍ
機械上延伸：２７
【図面の簡単な説明】
【０００９】
構造の概略図は以下の通りである：
図２
製品幅：１４０
製品重量：１９０ＧＳＭ（登録商標）
スパンデックス含有量：４１％
物理試験パラメータ（方法ＬＴＤ０３，７．５ポンド引張力）
タテ方向開度：８３％  緯方向開度：１３５％
タテ方向弾性率（２０％延伸時）：０．６０３ポンド
タテ方向弾性率（４０％延伸時）：１．４３５ポンド
タテ方向弾性率（６０％延伸時）：２．７８０ポンド
タテ方向弾性率（８０％延伸時）：４．６８２ポンド
緯方向弾性率（２０％延伸時）：０．２８５ポンド
緯方向弾性率（４０％延伸時）：０．８３０ポンド
緯方向弾性率（６０％延伸時）：１．３７０ポンド
緯方向弾性率（８０％延伸時）：２．０５０ポンド
経方向回復率：９５％  緯方向回復率：９４％
【００１０】
図面にて上記考案原理のうちのいくつかの構造を例示するとともに概略図説明を行う。
【図１】
0003229526.tif 000003
【図２】
0003229526.tif 000004
【図３】
0003229526.tif 000005
【図４】
0003229526.tif 000006
【図５】
0003229526.tif 000007
【図６】
0003229526.tif 000008
【図７】
0003229526.tif 000009
【図８】
0003229526.tif 000010
【手続補正書】
【提出日】令和2年9月25日(2020.9.25)
【手続補正１】
【補正対象書類名】実用新案登録請求の範囲
【補正対象項目名】全文
【補正方法】変更
【補正の内容】
【実用新案登録請求の範囲】
【請求項１】
経方向で捲れず、解れず、回復性に優れた経編伸縮性織布であって、織布本体を含んでおり、前記織布本体は、経織機で用いる二本又は二本のガイドバーがそれぞれ、−弾性なしの糸１）、−弾性ありの糸２）、及び−弾性ありの糸３）のいずれか１つであり、このうちの二種類以上の糸を含み、さらにこのうち一種類は弾性糸を含む、経編伸縮性織布。
【請求項２】
二本又は二本以上のガイドバーを用いて織布するが、このうち異なるガイドバーのニードル裏側の横移動ピッチの組み合わせが少なくとも六中以上である、請求項１に記載の経編伸縮性織布。
【請求項３】
糸１）、糸２）及び糸３）はいずれかのガイドバーに挿通している、請求項２に記載の経編伸縮性織布。
【請求項４】
各ガイドバーのニードル表側の移動ピッチが一針又は二針分である、請求項１又は２に記載の経編伸縮性織布。
【請求項５】
各ガイドバーの糸掛けの各横列のループが開き目ループ又は閉じ目ループである、請求項２又は３に記載の経編伸縮性織布。
【請求項６】
前記織布が二種類又は二種類以上の糸を用いており、このうち一種類の糸は必ず弾性糸である、糸２）及び糸３）である、請求項１に記載の経編伸縮性織布。
【請求項７】
該織布は高い回復性を有し、縦方向、横方向又は斜め方向で捲れにくく、解れず、任意に裁断し、及びかがり縫いを必要としない全ての機能的特徴を備えている、請求項１、２、又は３に記載の経編伸縮性織布。
【請求項８】
採用する経編機のニードルの密度を２４〜５０本／インチの間に調節し、
前記糸２）の糸密度が７〜１８０デニールの間である、
前記糸２）の糸密度が７〜２１０デニールの間である、
前記糸３）の糸密度が１０〜２１０デニールの間である、請求項１、２、又は３に記載の経編伸縮性織布。
【手続補正２】
【補正対象書類名】明細書
【補正対象項目名】０００９
【補正方法】変更
【補正の内容】
【０００９】
構造の概略図は以下の通りである：
【図１】織布の構造概略図である。
【図２】製品幅：１４０  製品重量：１９０ＧＳＭ（登録商標）  スパンデックス含有量：４１％  物理試験パラメータ（方法ＬＴＤ０３，７．５ポンド引張力）  タテ方向開度：８３％  緯方向開度：１３５％  タテ方向弾性率（２０％延伸時）：０．６０３ポンド  タテ方向弾性率（４０％延伸時）：１．４３５ポンド  タテ方向弾性率（６０％延伸時）：２．７８０ポンド  タテ方向弾性率（８０％延伸時）：４．６８２ポンド  緯方向弾性率（２０％延伸時）：０．２８５ポンド  緯方向弾性率（４０％延伸時）：０．８３０ポンド  緯方向弾性率（６０％延伸時）：１．３７０ポンド  緯方向弾性率（８０％延伸時）：２．０５０ポンド  経方向回復率：９５％  緯方向回復率：９４％
【図３】織布の構造概略図である。
【図４】織布の構造概略図である。
【図５】織布の構造概略図である。
【図６】織布の構造概略図である。
【図７】織布の構造概略図である。
【図８】織布の構造概略図である。